(57)【要約】【課題】内部に高気圧トレーニング環境やリラクゼーション環境を実現して、成長ホルモンの分泌を促進させ、健康を増進させることのできるカプセル装置を提供する。【解決手段】カプセル装置は、内部にて運動が可能な空間を有する密閉構造のハウジングと、このハウジング内の気圧を大気圧より高い所定気圧に調整可能な気圧調整手段と、ハウジングの内部を所定波長の光で照明する照明手段とを備えている。【選択図】図１
2011212431.tif 000002
【特許請求の範囲】
【請求項１】
内部にて運動が可能な空間を有する密閉構造のハウジングと、該ハウジング内の気圧を大気圧より高い所定気圧に調整可能な気圧調整手段と、前記ハウジングの内部を所定波長の光で照明する照明手段とを備えたことを特徴とするカプセル装置。
【請求項２】
前記照明手段が、青色、赤色、黄色、青色及び赤色、赤色及び黄色、又は青色、赤色及び黄色のＬＥＤ発光素子を含んでいることを特徴とする請求項１に記載のカプセル装置。
【請求項３】
前記照明手段における前記ＬＥＤ素子は、マイクロメートルのオーダのパルス幅を有する光を発生するように構成されていることを特徴とする請求項１又は２に記載のカプセル装置。
【請求項４】
前記ハウジングが長尺の外形を有しており、前記ハウジングを水平方向及び垂直方向にそれぞれ支持可能な支持手段をさらに備えたことを特徴とする請求項１から３のいずれか１項に記載のカプセル装置。
【請求項５】
前記気圧調整手段が、前記ハウジング内の気圧を約１．２〜１．４気圧に調整可能であることを特徴とする請求項１から４のいずれか１項に記載のカプセル装置。
【請求項６】
前記ハウジングの内部に設けられ、筋肉に電気的な刺激を印加するＥＭＳ手段をさらに備えたことを特徴とする請求項１から５のいずれか１項に記載の装置。
【発明の詳細な説明】
【技術分野】
【０００１】
本発明は、内部に高気圧トレーニング環境やリラクゼーション環境を実現するようにしたカプセル装置に関する。
【背景技術】
【０００２】
従来、気密室内に大気圧より低い気圧又は大気圧よりより高い気圧の環境を作り上げ、内部で運動等を行うことができる装置が提案されている。
【０００３】
例えば、特許文献１には、内部の気圧を加減圧することができる運動用気密室が開示されている。この運動用気密室は、運動器具を搬入することができ、かつ少なくとも一人が飛んだり跳ねたりし得る容積をもった透明のカプセル状室本体にコンプレッサ及び真空ポンプを備えた加減圧発生装置を接続して加減圧室を構成するものである。
【０００４】
また、例えば、特許文献２には、内部の気圧を加減圧することができる基礎体力向上トレーニング室が開示されている。このトレーニング室は、室内の排気量と吸気量を制御することによって一定減圧状態下で運動できるようにしたものである。
【０００５】
さらに、例えば、特許文献３には、内部の気圧を制御できるトレーニング用加減圧カプセルが開示されている。このトレーニング用加減圧カプセルは、スポーツジム等の施設に設置されるものであり、内部の気圧を制御する加減圧発生装置と、温度を制御する空気調和機と、一定方向に任意の風速で風を発生させることができる送風機と、モーターにより駆動され可変速の走行ベルト装置とから構成されており、使用者が所定の気圧、温度、風速の環境で走行ベルト装置を利用してランニングを行うように構成されている。
【先行技術文献】
【特許文献】
【０００６】
【特許文献１】特公平２−４２９９２号公報
【特許文献２】特開昭６３−１０９８７８号公報
【特許文献３】実開平２−１１８５７１号公報
【発明の概要】
【発明が解決しようとする課題】
【０００７】
しかしながら、特許文献１〜３に開示されている装置は、いずれも、単にトレーニングを目的として内部の気圧を加減制御するものであり、成長ホルモンの分泌を促進させるなどの健康を増進させるための工夫は何等なされていない。
【０００８】
従って本発明の目的は、内部に高気圧トレーニング環境やリラクゼーション環境を実現すると共に、成長ホルモンの分泌を促進させ、健康を増進させることのできるカプセル装置を提供することにある。
【課題を解決するための手段】
【０００９】
本発明によれば、内部にて運動が可能な空間を有する密閉構造のハウジングと、このハウジング内の気圧を大気圧より高い所定気圧に調整可能な気圧調整手段と、ハウジングの内部を所定波長の光で照明する照明手段とを備えたカプセル装置が提供される。
【００１０】
ハウジング内の気圧を大気圧より高い所定気圧に維持し、かつハウジングの内部を所定波長の光で照明することの相乗効果により成長ホルモンの分泌が促進され、身体の運動による活性化効果及びリラクゼーション効果を得ることができる。
【００１１】
照明手段が、青色、赤色、黄色、青色及び赤色、赤色及び黄色、又は青色、赤色及び黄色のＬＥＤ発光素子を含んでいることが好ましい。この場合、照明手段におけるＬＥＤ素子は、マイクロメートルのオーダのパルス幅を有する光を発生するように構成されていることがより好ましい。
【００１２】
ハウジングが長尺の外形を有しており、ハウジングを水平方向及び垂直方向にそれぞれ支持可能な支持手段をさらに備えていることが好ましい。使用目的によってハウジングを縦方向または横方向に設置することでき、ハウジングをコンパクトにすることで、容易に移動運搬することができる。
【００１３】
気圧調整手段が、ハウジング内の気圧を約１．２〜１．４気圧に調整可能であることも好ましい。
【００１４】
ハウジングの内部に設けられ、筋肉に電気的な刺激を印加するＥＭＳ手段をさらに備えたことも好ましい。
【発明の効果】
【００１５】
本発明によれば、成長ホルモンの分泌が促進され、身体の運動による活性化効果及びリラクゼーション効果を得ることができる。従って、利用者が高気圧環境でリハビリ、トレーニングを行うことができると共に、休憩、疲労回復等の目的にも利用できる。
【図面の簡単な説明】
【００１６】
【図１】本発明の一実施形態における高気圧カプセル装置を縦方向に設置した状態を示す斜視図及びその一部の拡大断面図である。
【図２】図１の実施形態における高気圧カプセル装置を横方向に設置した状態を示す斜視図及びその一部の拡大断面図である。
【図３】図１の実施形態における高気圧カプセル装置の構成を示す分解斜視図である。
【図４】図１の実施形態における高気圧カプセル装置のハウジングの断面図である。
【図５】図１の実施形態における高気圧カプセル装置を縦方向に設置した状態を示す断面図である。
【図６】図１の実施形態における高気圧カプセル装置を横方向に設置した状態を示す断面図である。
【図７】図１の実施形態における高気圧カプセル装置の一利用形態を示す図である。
【図８】図１の実施形態における高気圧カプセル装置の他の利用形態を示す図である。
【図９】図１の実施形態における高気圧カプセル装置のさらに他の利用形態を示す図である。
【発明を実施するための形態】
【００１７】
以下、添付図面を参照して、本発明のカプセル装置の実施形態である高気圧カプセル装置について説明する。
【００１８】
図１は本発明の一実施形態における高気圧カプセル装置１を縦方向に設置した状態を示しており、さらに、第１の支持手段２０の装着部を拡大して示している。図２は図１の実施形態の高気圧カプセル装置１を横方向に設置した状態を示すと共に、第２の支持手段３０ａ及び３０ｂの装着部を拡大して示しており、さらに、出入り用の梯子６０を配置した状態を示している。図３は図１の実施形態の高気圧カプセル装置１の構成を分解して示している。図４はこの高気圧カプセル装置１のハウジング１０のＡ−Ａ断面を示している。ただし、この図４において、ハウジング１０内部の運動補助設備４０は省略して示されている。図５はこの高気圧カプセル装置１を縦方向に設置した状態を示している。図６はこの高気圧カプセル装置１を横方向に設置した状態を示している。ただし、この図６には、横方向に設置した場合の利用状態（利用者の横臥状態）をも示されている。
【００１９】
本実施形態に係る高気圧カプセル装置１は、ハウジング内部を約１．２〜１．４気圧程度の高気圧状態、より望ましくは、約１．３気圧に保ち、この高気圧状態でリハビリやトレーニング等を行うと共に、リラクゼーションを得るための装置である。以下、コンプレッサから供給された圧縮空気により内部を高気圧状態に維持し、この高気圧状態でリハビリやトレーニング等を行う例を説明する。
【００２０】
図１〜図６に示すように、高気圧カプセル装置１は、内部を加圧する長尺筒体の外形を有する密閉構造の、望ましくは密閉耐圧構造のハウジング１０と、ハウジング１０の外部に取り付けられた第１の支持手段２０と、ハウジング１０の外部に取り付けられた第２の支持手段３０ａ及び３０ｂと、ハウジング１０の内部であってその筒体内側に沿って設けられる運動補助設備４０と、ハウジング１０の内部に取り付けられており、青色ＬＥＤを有するＬＥＤ照明装置８０（図５及び図６）と、ハウジング１０の外部に設けられた加圧空気発生装置９０と、ハウジング１０の内部に取り付けられたＥＭＳ(電気的筋肉刺激）装置１００（図５及び図６）とを備えている。運動補助設備４０は、横方向に設置するときベッド設備となる。ベッド設備は、ハウジング１０が横方向に設置されるときに、複数の板状部材（板部材５２、第１の延長板５４及び第２の延長板５６）を並べて形成される。
【００２１】
本実施形態の高気圧カプセル装置１においては、第１の支持手段２０によりハウジング１０が縦方向に設置されたときは、運動補助設備４０が縦方向と同方向に向かって使用可能となり、第２の支持手段３０ａ及び３０ｂによりハウジング１０が横方向に設置されたときは、ベッド設備が横方向と同方向に向かって使用可能となり、これら運動補助設備とベッド設備とは縦方向と横方向とで兼用される。ここで、長尺筒体の内側に沿って運動補助設備とベッド設備とがそれぞれ配置されている。
【００２２】
ハウジング１０は、内部を加圧する密閉耐圧構造のカプセル構造を有している。即ち、ハウジング１０は、その端部１０ａ及び１０ｂと、筒部１０ｃとがパッキンを介して密封状態で連結して構成されており、両端が封止された長筒の構造を有している。端部１０ａ及び１０ｂと筒部１０ｃとは、連結棒１３により連結されている。端部１０ａ及び１０ｂは、帯状の連結部１４ａ及び１４ｂをそれぞれ有しており、こられ連結部１４ａ及び１４ｂの外周には、連結棒１３を固定するための連結孔を有する取付け部１５ａ及び１５ｂがそれぞれ複数（例えば４〜８個）設けられている。連結する際には、筒部１０ｃの端部が連結部１４ａ及び１４ｂの溝にそれぞれ差し込まれて、パッキンにより接続部の気密性を確保している。また、連結棒１３と取付け部１５ａ及び１５ｂとの連結は、溶接又はネジ込み等の方法が考えられる。また、この例において、ハウジング１０の大きさは、大人１人が中で屈伸運動及びぶらさがる運動を行うことができる程度である。例えば、直径８００ｍｍ程度、長さ２０００ｍｍ程度である。
【００２３】
また、取付け部１５ａの下端には、第１の支持手段２０を装着することが可能となっている。さらに、取付け部１５ａ及び１５ｂは、第２の支持手段３０ａ及び３０ｂをそれぞれ装着可能となっている。
【００２４】
筒部１０ｃには、利用者の出入用の開口部１１が形成されている。開口部１１は筒体の一部を切り欠きしてから構成されている。この開口部１１には、補強のための折り曲げ部（補強爪）が形成されている。
【００２５】
開口部１１には、スライド式かつ気密性の扉１２が設けられている。図４に示すように、扉１２は溝を有する扉用レール１２ａに沿って左右にスライドすることで開閉できるように構成されている。これにより、ハウジング１０は、内部を加圧室とする密閉耐圧構造となっている。扉１２は、透明又は半透明材料から形成される。例えば、透明のガラス又は樹脂材にスモークフィルムを貼り付けて構成しても良い。透明度の低いフィルムを用いることで内部の利用者のプライバシーが保護される。
【００２６】
また、ハウジング１０の下部の端部１０ａには、空気用入口１６及び空気用出口１７が設けられており、これらは、配管９２及び９１をそれぞれ介してコンプレッサを備えた加圧空気発生装置９０に接続されている。コンプレッサから供給される圧縮空気は、空気用入口１６に接続された内部配管（図示せず）により端部１０ｂ側に誘導されてハウジング１０の内部に吹き出す。この圧縮空気により、ハウジング１０の内部が高気圧環境に維持される。ハウジング１０の内部の気圧は、例えば、約１．２〜１．４気圧（大気圧を１気圧として）であり、好ましくは約１．３気圧である。このような高気圧状態で有酸素運動を行うことにより、リハビリ、トレーニングの効果を向上することが可能となる。
【００２７】
さらに、ハウジング１０の端部１０ａには、ＡＣ電源線を導入する引き込み口が設けられている（図示せず）。これにより、ＬＥＤ照明装置８０及び操作パネルに安定した電力を供給することが可能となる。なお、ハウジング１０の内部と加圧空気発生装置９０側に対話連絡用の電話を設けた場合、通信線はＡＣ電源線と一緒に引き込み口から導入することができる。図示されていないが、加圧空気発生装置９０には、気圧調整等を行うための操作パネルが設けられている。ＥＭＳ装置１００は、本実施形態においては、電池駆動としている。
【００２８】
第１の支持手段２０は、ハウジング１０の外側端部に着脱可能に設けられ、ハウジング１０を縦方向に設置するためのものである。この第１の支持手段２０は、４本の脚部２１と、連結固定部材２２と、キャスター２３とから構成されている。脚部２１の上端には、端部１０ａの連結部１４ａの取付け部１５ａに挿入する取付け端部２１ａが形成されている。取付け端部２１ａは例えばネジ等により取付け部１５ａに固定されている。
【００２９】
第２の支持手段３０ａ及び３０ｂは、ハウジング１０の外側の複数部位に着脱可能に設けられ、ハウジング１０を横方向に設置するためのものである。例えば連結部１４ａ及び１４ｂの取付け部１５ａ及び１５ｂに着脱可能に取り付けられている。この第２の支持手段３０ａ及び３０ｂは、それぞれ、脚部３１ａ及び３１ｂと、連結部材３２ａ及び３２ｂと、キャスター３４ａ及び３４ｂとからなる。脚部３１ａ及び３１ｂの一端に取付け部１５ａ及び１５ｂに挿入するための取付け端部３３ａ及び３３ｂが形成されている。取付け端部３３ａ及び３３ｂは例えばネジ等により取付け部１５ａ及び１５ｂに固定されている。なお、第２の支持手段３０ａと３０ｂとは、ハウジング１０に装着後、連結手段を用いて連結し固定するようにしてもよい。
【００３０】
図５に示すように、ハウジング１０が縦方向に設置されている場合、第２の支持手段３０ａ及び３０ｂは装着されず、そのため、高気圧カプセル装置１の設置の邪魔にならない。また、縦方向に設置する状態において、高気圧カプセル装置１は簡単に移動することができる。
【００３１】
また、図６に示すように、ハウジング１０が横方向に設置されている場合、第１の支持手段２０は装着されず、第２の支持手段３０ａ及び３０ｂのみでハウジング１０を支える。なお、図５及び図６は、付勢手段７０が外された状態を示している。
【００３２】
運動補助設備４０は、ハウジング１０の内部に設けられて、利用者が複数の運動を行うことができるものである。例えば、運動補助設備４０は、ハウジング１０が縦方向に設置される際に利用者がぶらさがる運動を行う第１の運動補助器具４０ａと、脚又は腕の筋肉をトレーニングするための第２の運動補助器具４０ｂとを備える。
【００３３】
第１の運動補助器具４０ａは、ハウジング１０が縦方向に設置される状態で、ハウジング１０の内側の上部に水平に設置される棒状部材４１を備えている。棒状部材４１は、水平に設置された一対の支持アーム４２と垂直に設置された一対の固定部材４３との接合部の間に固定されている。固定部材４３の上端は取付け具４４を介してハウジング１０の端部１０ｂに固定されている。棒状部材４１の設置高さは利用者がこれを掴んでぶらさがることができるように適宜に設計される。なお、棒状部材４１の設置高さを調整できるようにしてもよい。
【００３４】
第２の運動補助器具４０ｂは、一対のレール５１と、このレール５１に摺動可能な板部材（板状部材）５２と、この板部材５２をレールに沿った所定方向に付勢する付勢手段７０とを備える。レール５１の上端は支持アーム４２に固定され、下端はハウジング１０の端部１０ａに固定されている。板部材５２はローラー機構を有し、レール５１に沿って自在に摺動移動することが可能である。また、板部材５２は、連結軸５３を介して第１の延長板（板状部材）５４の一端に着脱可能に連結され、この第１の延長板５４の他端は連結軸５５を介して第２の延長板（板状部材）５６の一端に着脱可能に連結され、第２の延長板５６の他端は連結軸５７を介してレール５１の下端に連結されている。板部材５２と第１の延長板５４と第２の延長板５６を屈折させた状態で椅子となる（図５参照）。この際に、ロック機構（図示せず）によって第１の延長板５４をレール５１にロックすることで水平状態を保つことができる。なお、ロック機構としては、蝶ねじ又はノブねじ等を使用できる。
【００３５】
板部材５２の一端（上端）には、弾性を有する一対の肩ガード５２ａが取付け部材５２ｂを介して装着されている。肩ガード５２ａは取付け部材５２ｂに対して上下方向に移動可能である。また、肩ガード５２ａはねじで所定の位置に固定されている。なお、肩ガード５２ａには、肩の形状に合わせた円弧状の板を用いてもよい。
【００３６】
付勢手段７０は、両端に取付け穴が設けられた取付け部を有するゴム材又はバネ部材から構成される。本例では、付勢手段７０は、ゴム部材から形成される。この付勢手段７０は、ねじ７１によって板部材５２に連動する付勢手段用取付け部５２ｃとレール５１の下端に設けられる付勢手段用取付け部５１ａに取付けられている。これにより、第２の運動補助器具４０ｂを利用して脚または腕の筋肉をトレーニングすることができる。また、付勢手段用取付け部５２ｃと付勢手段用取付け部５２ｄには、上下方向に複数のねじ穴が設けられているため、付勢手段７０の取付け位置を調整することが可能であり、使用者が自身の状態に合わせてトレーニングの強度を調整することができる。なお、付勢手段７０は、付勢手段用取付け部５２ｄと付勢手段用取付け部５１ｂに取り付けるようにしてもよい。この場合、付勢手段７０のレールに沿った付勢方向が異なってくる。
【００３７】
また、第２の運動補助器具４０ｂは、ハウジング１０が横方向に設置される際に板部材５２、第１の延長板５４及び第２の延長板５６をレール５１に沿って並べて利用者が横臥するためのベッド設備を構成することができる。利用者がこのベッド設備に横臥することが可能である（図６参照）。これにより、利用者が高気圧環境においてリラックスした状態で休憩、又は疲労回復することができる。また、利用者が横臥する体勢で脚の運動を行うことができる。
【００３８】
本実施形態では、ＬＥＤ照明装置８０は、ハウジング１０の内部の上端近傍に配置されている。ただし、このＬＥＤ照明装置８０は、開口部１１の片側又は両側に配置するようにしてもよい。なお、ＬＥＤ照明装置８０の駆動回路は、図示されていないが、パルス状のＬＥＤ駆動信号をあらかじめ設定された又は可変の周期で発生する回路であり、このような回路構成は当業者によれば周知である。
【００３９】
本実施形態において重要なポイントは、ハウジング１０の内側に、約４３０〜４７０ｎｍの、望ましくは約４６０ｎｍの波長の可視光を発生する青色ＬＥＤを備えたＬＥＤ照明装置８０が配置されている点である。まず、ハウジング内の気圧が大気圧より高い約１．３気圧に維持されていることにより、皮膚の血管が圧迫されて血管径が縮小し、血管内皮へのずり応力が増大することから、血管内皮細胞のＮＯの産生量が増加し、その結果、プロスタグランジンの産生量が増加する。プロスタグランジンは知覚神経を刺激するため、ＩＧＦ−１（インシュリン様成長因子−１）の産生量を増大させる。ＩＧＦ−１は、人体のほとんどの細胞、特に筋肉、骨、肝臓、腎臓、神経、皮膚及び肺の細胞、を細胞成長及び発達させる。そして、青色ＬＥＤより照射される約４６０ｎｍの波長の青い可視光は、知覚神経刺激作用があり、これが皮膚の知覚神経に存在すると考えられる青色受光体のクリプトクロム（Ｃｒｙ)によって感知されることにより、ＩＧＦ−１がより一層多く産生される。
【００４０】
本実施形態において、さらに重要なポイントは、この青色ＬＥＤからは、連続光ではなく、マイクロメートルのオーダの狭いパルス幅を有するパルス光がデューティ比５０％の毎秒１００回の割合で間欠的に発生する不連続光が照射されることにある。このように、パルス幅の狭い高いピーク値を有する光が印加されることにより、皮膚に対して非常に効率の良い刺激及び浸透が行われる。
【００４１】
青色ＬＥＤより照射される約４６０ｎｍの波長の青い可視光による治療効果としては、皮脂腺に吸収されることによるニキビ治療効果や脂性肌の改善効果がある。即ち、ニキビの原因であるアクネ菌は、ポルフィリンという特定の光に反応する光感受性物質を含んでおり、青い光が皮膚に照射されるとこのポルフィリンが反応する。その光化学反応によって第一重項酸素が発生することにより、アクネ菌が酸化されて破壊される。また、この青い光は過剰に分泌する皮脂を抑制する働きも有している。
【００４２】
このように、本実施形態によれば、利用者が高気圧状態でリハビリやトレーニングを行うと同時に、青い光を浴びることにより、この青い光による治療効果と成長ホルモンの分泌とをより一層促すことも期待できる。特に、ハウジング内の気圧を大気圧より高い約１．３気圧に維持することと、ハウジング１０の内部を青色ＬＥＤの光で照明することとの相乗効果により、ＩＧＦ−１の産生が飛躍的に増大して成長ホルモンの分泌が促進され、身体の運動とも相まって、上述した皮脂腺に吸収されることによるニキビ治療効果や脂性肌の改善効果等の治療効果及び活性化効果、並びにリラクゼーション効果を共に得ることができる。
【００４３】
本実施形態の一変更態様においては、ＬＥＤ照明装置８０は、青色ＬＥＤに代えて、約６１０〜７８０ｎｍの、望ましくは約６４４ｎｍの波長の可視光（マイクロメートルのオーダのパルス幅を有するパルス光が間隔を置いて間欠的に発生する不連続光）を発生する赤色ＬＥＤを用いてもよい。近年の研究結果によると、ヒトを対象に、両眼を光から完全に遮蔽させた状態にて、前頭部の前方より、約６４４ｎｍの波長の赤い可視光を赤色ＬＥＤから照射した場合に、ストレス軽減の効果が期待できることが分かっている。また、この赤い光は、線維芽細胞に吸収されてアンチエイジング効果をもたらす。即ち、この赤い光は、細胞のミトコンドリア等に作用し、細胞の活性化を促し、貧色細胞の活動を活性化させ、炎症を抑え皮膚の老化を改善する効果を有している。これにより、ニキビの赤みを速やかに取り去り、細かいしわを取り、肌の張りを取り戻すことも可能となる。また、肌の奥のコラーゲン細胞を強力に活性化させるので、老化によるシミやしわ、毛穴の開き等を改善することができる。さらに、新陳代謝が良好となり血行障害を解消できるため、くまやくすみについても改善することができる。特に、ハウジング内の気圧を大気圧より高い約１．３気圧に維持することと、ハウジング１０の内部を赤色ＬＥＤの光で照明することとの相乗効果により、ストレス軽減が促進され、身体の運動とも相まって、上述した線維芽細胞に吸収されることによるアンチエイジング効果等の治療効果及び活性化効果、並びにリラクゼーション効果を共に得ることができる。
【００４４】
本実施形態の他の変更態様においては、ＬＥＤ照明装置８０は、青色ＬＥＤ又は赤色ＬＥＤに代えて、約５６０〜５９０ｎｍの、望ましくは約５７５ｎｍの波長の可視光（マイクロメートルのオーダのパルス幅を有するパルス光が間隔を置いて間欠的に発生する不連続光）を発生する黄色ＬＥＤを用いてもよい。約５７５ｎｍの波長の黄色の可視光を黄色ＬＥＤから照射することにより、リンパの活性化を促し、赤ら顔や小顔つくりに有効となる。即ち、この黄色い光は、リンパの流れを活性化させ、損傷した細胞の修復を促進させる。また、解毒及び清浄化作用も有しており、皮膚組織を活性化して生き生きした肌を提供することができる。特に、ハウジング内の気圧を大気圧より高い約１．３気圧に維持することと、ハウジング１０の内部を黄色ＬＥＤの光で照明することとの相乗効果により、身体の運動とも相まって、上述したリンパの活性化効果等の治療効果及び活性化効果、並びにリラクゼーション効果を共に得ることができる。
【００４５】
本実施形態のさらに他の変更態様においては、活性化用として黄色ＬＥＤ（約５７５ｎｍ）及び赤色ＬＥＤ（約６４４ｎｍ）を設けておき、これらの光を同時に照射するか、必要に応じて切り替えて照射するようにしても良い。これにより、コラーゲンやエラスチン等のタンパク質を増やし年齢による肌の衰えを整え、リンパの流れを改善して小顔つくりに貢献できる。精神的に覚醒したい場合や、元気を出したい場合にも好適である。
【００４６】
本実施形態のまたさらに他の変更態様においては、鎮静化用として青色ＬＥＤ（約４６０ｎｍ）及び赤色ＬＥＤ（約６４４ｎｍ）を設けておき、これらの光を同時に照射するか、必要に応じて切り替えて照射するようにしても良い。ニキビや荒れ性が気になる場合や、育毛したい場合に効果的である。精神的にリラックスしたい場合に好適である。
【００４７】
本実施形態のさらに他の変更態様においては、活性及び鎮静化用として赤色ＬＥＤ（約６４４ｎｍ）、青色ＬＥＤ（約４６０ｎｍ）及び黄色ＬＥＤ（約５７５ｎｍ）を設けておき、これらの光を同時に照射するか、必要に応じて切り替えて照射するようにしても良い。上述した全ての効果を備えるが、自然光を浴びることが少ない場合に特に有効である。
【００４８】
本実施形態のさらに他の変更態様においては、約５００〜５３０ｎｍの波長の可視光を発生する緑色ＬＥＤを用いる。
【００４９】
ＥＭＳ装置１００は、その複数の（この変更態様では４つの）電極１００ａを皮膚表面に貼り付けて、微弱な電流を流すことにより、その刺激によって筋肉の収縮運動を促し、トレーニング及びエクササイズ効果を得る装置である。本実施形態におけるＥＭＳ装置１００は、４つの電極１００ａを介して、２５００Ｈｚの中周波による干渉波電流を流すことが可能であり、さらに、この２５００Ｈｚの中周波電流を断続的に流して効果的に筋肉を刺激できるロシアンカレントをも流すことが可能である。本実施形態におけるＥＭＳ装置１００によって、実際に被験者（２３歳男性、３１歳男性）の腹部に２５００Ｈｚの中周波による干渉波電流を約２０分間印加すると、被験者の腰から上の体表面のサーモグラフィ画像は、体温が大幅に上昇していること示した。また、本実施形態におけるＥＭＳ装置１００によって、実際に被験者（２７歳男性）の腹部に２５００Ｈｚの中周波による干渉波電流を約２０分間印加した場合と、ＥＭＳ装置未使用の場合とにおいて腹部ＣＴを撮像し、そのＣＴ画像から腹直筋及び大腰筋の断面積を求めると、表１のごとくなった。
【００５０】
【表１】
2011212431.tif 000003
【００５１】
表１より、ＥＭＳ装置１００によって腹部筋肉を刺激することにより、特に腹直筋が活発に運動してその断面積が大幅に増大することが分かる。即ち、本実施形態におけるＥＭＳ装置１００を使用すれば、筋肉が活発に運動して体表面温度が上昇すると共にその筋肉の断面積が増大し、効果的なトレーニング及びエクササイズを行えることが分かる。特に、このトレーニング及びエクササイズ効果は、高気圧下で行うことで、効果が著しく増大する。
【００５２】
このように、本実施形態によれば、ハウジング内の気圧を大気圧より高い約１．３気圧に維持することと、ハウジング１０の内部を青色ＬＥＤ、赤色ＬＥＤ及び／又は黄色ＬＥＤの光で照明することと、ＥＭＳ装置１００を使用することとの相乗効果により、成長ホルモンの分泌が促進され、筋肉のトレーニング効果がより向上し、前述した治療効果及び活性化効果、並びにリラクゼーション効果を共に得ることができる。
【００５３】
図７は図１の実施形態における高気圧カプセル装置の一利用形態を示している。同図に示すように、ハウジング１０を縦方向に設置した場合、利用者が両手を上げて棒状部材４１に掴まり、両足を床面から離れてぶらさがる運動を行うことができる。
【００５４】
図８は図１の実施形態における高気圧カプセル装置の他の利用形態を示している。同図に示すように、ハウジング１０を縦方向に設置した場合、連結軸５５を外して第２の延長板５６を床面と平行状態とし、利用者が第２の延長板５６の上に立てて、両手は肩ガード５２ａの握り部を握る状態で脚の屈曲と伸展（起立姿勢にするように）を繰り返すことにより、脚の筋肉をトレーニングすることができる。この場合、付勢手段７０は、付勢手段用取付け部５２ｃとレール５１の下端に設けられた付勢手段用取付け部５１ａに取付けられる。また、板部材５２と第１の延長板５４とはレール５１に沿って移動する。
【００５５】
図９は図１の実施形態における高気圧カプセル装置のさらに他の利用形態を示している。同図に示すように、ハウジング１０を縦方向に設置した場合、板部材５２と第１の延長板５４との連結を外し、第１の延長板５４をレール５１に固定して、第１の延長板５４と第２の延長板５６とを椅子として利用できる。また、付勢手段７０は、付勢手段用取付け部５２ｃとレール５１の下端に設けられる付勢手段用取付け部５１ａとに取付けられるか、又は付勢手段用取付け部５２ｄとレール５１の上端に設けられた付勢手段用取付け部５１ｂとに取付けられる。利用者が第１の延長板５４に座った状態で、両手は肩ガード５２ａの握り部を握り、腕の屈曲と伸展を繰り返すことで、腕の筋肉をトレーニングすることができる。この場合、板部材５２はレール５１に沿って移動する。
【００５６】
なお、横方向に設置する場合の利用状態については、図６に示すように、利用者がこのベッド設備に横臥することができる。また、出入りの際に、図２に示すように、出入り用の梯子６０を用いることができる。
【００５７】
このように本実施の形態においては、高気圧カプセル装置１は、ハウジング１０と、ハウジング１０を縦方向に設置するための第１の支持手段２０と、ハウジング１０を横方向に設置するための第２の支持手段３０ａ及び３０ｂと、運動補助設備４０とを備える。ハウジング１０は両端が封止された長筒状である。ハウジング１０は、内部を加圧室とする密閉耐圧構造とされている。ハウジング１０に利用者が出入用の開口部１１が形成され、開口部１１には気密性扉１２が設けられている。また、運動補助設備４０は、ハウジング１０が縦方向に設置される際に、利用者がぶらさがる運動を行う第１の運動補助器具４０ａと、脚、腕の筋肉をトレーニングするための第２の運動補助器具４０ｂとを備える。第２の運動補助器具４０ｂを変形させることで、椅子又は横臥するためのベッド設備になる。
【００５８】
このように、ハウジング１０を使用目的によって縦方向又は横方向に設置することができ、かつ縦方向に設置したときに運動補助設備４０が使用可能になるとともに、横方向に設置したときにベッド設備が使用可能となり、運動補助設備４０とベッド設備は縦方向と横方向で兼用することができる。また、ハウジング１０をコンパクトにすることで、容易に移動運搬することができる。また、利用者が高気圧環境下、ＬＥＤ照明環境下及びＥＭＳ使用環境下でリハビリ及びトレーニングかつリラクゼーション、休憩及び疲労回復等の目的にも利用できる。そのため、有酸素運動の効果を高めることができ、疲労回復、成長ホルモンの分泌による老化防止や新陳代謝促進、骨折・ケガの早期治癒等の相乗的効果が期待できる。
【００５９】
第１の運動補助器具４０ａを備えることで、ハウジング１０が縦方向に設置される際に、利用者がぶらさがる運動を行うことができる。また、第２の運動補助器具４０ｂを備えることで、ハウジング１０が縦方向に設置される際に、利用者が脚、腕の筋肉をトレーニングすることができる。さらに、第２の運動補助器具４０ｂの板部材５２と第１の延長板と第２の延長板は、屈折させた状態で椅子として利用できる。さらにまた、第２の運動補助器具４０ｂの板部材５２と第１の延長板と第２の延長板は、ハウジング１０が横方向に設置される際に、板部材５２、第１の延長板５４および第２の延長板５６をレール５１に沿って並べて、利用者が横臥するためのベッド設備を構成することができる。
【００６０】
さらに、ハウジング１０の内側に青色ＬＥＤ約４６０ｎｍの波長の可視光を発生する青色ＬＥＤを備えたＬＥＤ照明装置８０を設けることで、高気圧状態と青色ＬＥＤの光照明状態との相乗効果により、ＩＧＦ−１の産生が飛躍的に増大して成長ホルモンの分泌が促進され、身体の運動とも相まって、皮脂腺に吸収されることによるニキビ治療効果や脂性肌の改善効果等の治療効果及び活性化効果、並びにリラクゼーション効果を共に得ることができる。
【００６１】
また、約６４４ｎｍの波長の可視光を発生する赤色ＬＥＤを備えたＬＥＤ照明装置８０を設けることで、高気圧状態と赤色ＬＥＤの光照明状態との相乗効果により、ストレス軽減が促進され、身体の運動とも相まって、上述した線維芽細胞に吸収されることによるアンチエイジング効果等の治療効果及び活性化効果、並びにリラクゼーション効果を共に得ることができる。
【００６２】
さらにまた、約５７５ｎｍの波長の可視光を発生する黄色ＬＥＤを備えたＬＥＤ照明装置８０を設けることで、高気圧状態と黄色ＬＥＤの光照明状態との相乗効果により、身体の運動とも相まって、上述したリンパの活性化効果等の治療効果及び活性化効果、並びにリラクゼーション効果を共に得ることができる。
【００６３】
なお、上述の実施形態においては、ハウジング１０の中に、利用者がぶらさがる運動を行う第１の運動補助器具４０ａと、脚又は腕の筋肉をトレーニングするための第２の運動補助器具４０ｂとを備える運動補助設備４０が取付けられたものについて説明したが、これ以外に小型の足踏み自転車、乗馬運動器具、ボートこぎ運動装置等を設置してもよい。
【００６４】
また、上述の実施形態において、板部材５２、第１の延長板５４、第２の延長板５６は、板材からなるものについて説明したが、これに限定されるものではない。例えば、所定の枠にシート又は網を固定してなる構成としてもよい。
【００６５】
また、ハウジング１０の形状を、上述した実施形態以外の形状にしてもよい。例えば、楕円体状、フラットな端面を有する円筒形又は角筒形にしてもよい。
【００６６】
さらに、上述した実施形態において、第１の支持手段２０と第２の支持手段３０ａ及び３０ｂとは、着脱可能なものとしたが、これに限定されるものではない。例えば、第１の支持手段２０と第２の支持手段３０ａ及び３０ｂとを、ハウジング１０と一体形成してもよい。また、第１の支持手段２０と第２の支持手段３０ａ及び３０ｂは、４本の脚を有するものとしたが、これに限定されるものではない。台形の支持手段等を用いてもよい。
【００６７】
また、上述した実施形態において、ハウジング１０の内部に加圧して高気圧状態にする例を説明したが、高地トレーニングを行う目的で、高地の気圧環境を実現するために、ハウジング１０の内部に減圧して低気圧状態（例えば、０．８気圧）にすることも可能であり、減圧カプセル装置でも実施可能である。
【００６８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００６９】
本発明は、一般家庭、ホテル、オフィス、介護施設、リハビリセンター、老人ホーム、福祉施設、スポーツジム、クリニック、病院、学校、カフェ、ショッピングセンター等の一角に設置可能であり、高気圧環境及び照明環境下でリハビリ及びトレーニングかつリラクゼーション等を行う目的に利用できる。
【符号の説明】
【００７０】
１  高気圧カプセル装置
１０  ハウジング
１０ａ、１０ｂ  端部
１０ｃ  筒部
１１  開口部
１２  扉
１２ａ  扉用レール
１３  連結棒
１４ａ、１４ｂ  連結部
１５ａ、１５ｂ  取付け部
１５ｃ、１５ｄ  装着孔
１６  空気用入口
１７  空気用出口
２０  第１の支持手段
２１  脚部
２１ａ  取付け端部
２２  連結固定部材
２３  キャスター
３０ａ、３０ｂ  第２の支持手段
３１ａ、３１ｂ  脚部
３２ａ、３２ｂ  連結部材
３３ａ、３３ｂ  取付け端部
３４ａ、３４ｂ  キャスター
４０  運動補助設備
４０ａ  第１の運動補助器具
４０ｂ  第２の運動補助器具
４１  棒状部材
４２  支持アーム
４３  固定部材
４４  取付け具
５１  レール
５１ａ、５１ｂ  付勢手段用取付け部
５２  板部材
５２ａ  肩ガード
５２ｂ  取付け部材
５２ｃ、５２ｄ  付勢手段用取付け部
５３、５５、５７  軸
５４  第１の延長板
５６  第２の延長板
６０  梯子
７０  付勢手段
７１  ねじ
８０  ＬＥＤ照明装置
９０  加圧空気発生装置
９１、９２  配管
１００  ＥＭＳ装置
１００ａ  電極
【図１】
2011212431.tif 000004
【図２】
2011212431.tif 000005
【図３】
2011212431.tif 000006
【図４】
2011212431.tif 000007
【図５】
2011212431.tif 000008
【図６】
2011212431.tif 000009
【図７】
2011212431.tif 000010
【図８】
2011212431.tif 000011
【図９】
2011212431.tif 000012